(57)【要約】      （修正有）【課題】濾過パッドを経て流れる湯の量が増加し、コーヒーを作るのに要する時間をより短くすることができるコーヒー濾過用組立体を提供すること。【解決手段】コーヒー濾過用組立体は、開放された頂部から伸びる環状面１１を有する中空の円錐形状の本体と、穴があいた底部の内面に形成されたショルダー１３と、該ショルダーの周縁部から下方へ伸び、さらに、前記環状面に平行な方向へ互いに交差するように伸びる複数の支持リブ１４とを含み、該支持リブと前記ショルダーとの間に高さの差があり、前記ショルダーに支持された濾過パッド上に荷重がかかり、前記本体にお湯が注がれると、前記濾過パッドの中央部を除いて前記濾過パッドと前記支持リブとの間に隙間があることによって、前記濾過パッドを経て流れる湯の量が増加する。【選択図】図１
0003117824.tif 000002
【実用新案登録請求の範囲】
【請求項１】
穴が開いた底部を有する中空の円錐形状の本体と、前記底部に通じ、かつ周縁部から伸びる環状面を有する開放された頂部と、前記底部の内面に形成されたショルダーと、該ショルダーに対して高さに差があるように、前記ショルダーの周縁部から下方へ伸び、さらに、前記環状面に平行な方向へ互いに交差するように伸びる複数の支持リブと、前記ショルダーに支持されるように前記本体内に置かれた濾過パッドとを含み、前記環状面は、該環状面の周縁部から伸びるスカートを備え、前記濾過パッド上に荷重がかかるとき、前記濾過パッドの中央部が前記支持リブに接触し、前記濾過パッドの中央部を除いて前記濾過パッドと前記支持リブとの間に隙間があることによって、前記濾過パッドを経て流れる湯の量が増加する、コーヒー濾過用組立体。
【請求項２】
前記本体がカップ上に置かれた後、前記本体の内外で気圧が釣り合うように、前記環状面に複数の空気抜き穴が形成された、請求項１に記載のコーヒー濾過用組立体。
【請求項３】
カップに固定するために前記スカートの周縁部に形成されたフックを含む、請求項１または２に記載のコーヒー濾過用組立体。
【考案の詳細な説明】
【技術分野】
【０００１】
本考案は、コーヒー濾過用組立体、より具体的には、本体の内側に形成されたショルダーと、該ショルダーの周縁部から下方へ伸び、かつ本体の中央部で互いに交差する複数の支持リブとを有し、該支持リブと、前記ショルダーに支持された濾過パッドとの間に隙間ができるように、前記支持リブと前記ショルダーとの間に高さの差があるコーヒー濾過用組立体に関する。
【背景技術】
【０００２】
図５，６に示すように、従来のコーヒー濾過用組立体は、それぞれが中間部に通じる２つの開放された端部を有する中空の円錐形状の本体５と、該本体の外周に形成されたステップ５１と、前記端部の１つ、好ましくは底部の内周から伸び、かつ本体５の中心部で互いに結合された複数の支持リブ５２とを含む。
【考案の開示】
【考案が解決しようとする課題】
【０００３】
従来のコーヒー濾過用組立体がカップ７上に置かれると、前記コーヒー濾過用組立体はカップ７の周縁部７１で支持され、周縁部７１は本体５のステップ５１とかみ合う。次に、濾過パッド６が、支持リブ５２に支持されるように本体５内に置かれる。その後、図示したように、濾過パッド６は支持リブ５２全体に接触し、コーヒーを滴下させるのに使用された湯が濾過パッド６を経て流れる隙間がない。よって、従来のコーヒー濾過用組立体を使用すると、コーヒーを作るのに時間がかかる。
【０００４】
本考案は、上記の欠点を克服するために、改良されたコーヒー濾過用組立体を提供する。
【０００５】
本考案の主な目的は、改良されたコーヒー濾過用組立体を提供することであり、このコーヒー濾過用組立体を用いると、該コーヒー濾過用組立体を経て流れる湯の量が増加し、コーヒーを作るのに要する時間がより短くなる。
【課題を解決するための手段】
【０００６】
本考案の１つの側面において、前記コーヒー濾過用組立体は、本体内に形成されたショルダーと、該ショルダーの周縁部から下方へ伸び、さらに、前記本体の開放された頂部に形成された環状面に平行な方向へ互いに交差するように伸びる複数の支持リブとを有し、該支持リブと前記ショルダーとの間に高さの差があることによって、前記ショルダーと前記支持リブとで支持された濾過パッドを経て流れる湯の量を増加させることができる。
【０００７】
本考案の他の側面において、前記本体は、該本体がカップ上に置かれた後、前記本体の内外で気圧が釣り合うように、前記環状面に形成された複数の空気抜き穴を有する。
【０００８】
本考案のさらに他の側面は、スカートが前記環状面の周縁部から伸び、前記カップの周縁部に固定するために前記スカートの周縁部に形成されたフックを有する。
【０００９】
本考案の他の目的、利点および新規な特徴は、添付の図面に関しての以下の詳細な説明からより明らかになる。
【考案を実施するための最良の形態】
【００１０】
図１、２を参照すると、本考案に係るコーヒー濾過用組立体は、穴があいた底部と、該底部に通じる開放された頂部とを有する中空の円錐形状の本体１を含む。前記頂部の周縁部から環状面１１が伸び、環状面１１の周縁部はスカート１２を形成するように下方へ伸びる。スカート１２の周縁部はフック１２１を備える。
【００１１】
前記コーヒー濾過用組立体は、前記底部の内周に形成されたショルダー１３と、該ショルダーの周縁部から下方へ伸び、さらに、本体１の前記頂部に形成された環状面１１に平行な方向へ互いに交差するように伸びる複数の支持リブ１４とを備え、該支持リブとショルダー１３との間に高さの差がある。
【００１２】
本体１は、該本体がカップ上に置かれた後、本体１の内外で気圧が釣り合うように、環状面１１に形成された複数の空気抜き穴１１１を有する。
【００１３】
図３、４に示すように、本体１内に濾過パッド２が置かれると、まず、濾過パッド２はショルダー１３に支持される。その後、本体１と濾過パッド２とを組み合わせたものが前記カップ上に置かれ、本体１を前記カップに固定するために、フック１２１は前記カップの周縁部にしっかりと接続される。その後、濾過パッド２上にコーヒーの粉３が置かれ、コーヒーの粉３に熱湯が注がれる。濾過パッド２の中央部が湿り、コーヒーの粉３の重さにより下がると、ショルダー１３と支持リブ１４との間に高さの差があることにより、濾過パッド２の中央部のみが支持リブ１４に接触し、支持リブ１４と濾過パッド２との間に隙間１５が生じる。この隙間があることにより、濾過パッド２を経て流れる湯は何にも妨げられることなく、支持リブ１４を経て本体１の下にある前記カップへ円滑に流れる、これによりコーヒーを入れるのに要する時間が大幅に短縮される。
【００１４】
さらに、使用者は、前記カップに湯を入れすぎないように、空気抜き穴１１１によって前記カップ内の湯の水面を観察することができる。また、空気抜き穴１１１は、前記カップに湯が注がれているとき、前記カップの内外で気圧が釣り合うようにするのに役立つ。
【００１５】
ショルダー１３と支持リブ１４との間に高さの差があることによって、濾過パッド２を経て流れる湯は何にも妨げられず、これによりコーヒーを入れるのに要する時間は短縮される。
【００１６】
本考案の多くの特徴および利点が、本考案の構造および機能の詳細とともに上記に示されているが、開示は例示に過ぎず、実用新案登録請求の範囲に表現された語句の一般的な広い意味によって示される本考案の原理の範囲内で詳細、特に形状、大きさおよび部品の配置に関して変更がなされる場合があることは明らかである。
【図面の簡単な説明】
【００１７】
【図１】本考案に係るコーヒー濾過用組立体の本体の斜視図。
【図２】図１の線２−２における本体の断面図。
【図３】濾過パッドが本体のショルダーによって支持されていることを示す断面図。
【図４】濾過パッドの中央部が湿り、濾過パッド上のコーヒーの粉の重さにより下がった後、ショルダーと支持リブとで支持されることにより、濾過パッドと本体の内面の周囲との間に隙間が作られ、湯が濾過パッドを経て本体の下にあるカップへ円滑に流れることを示す断面図。
【図５】従来のコーヒー濾過用組立体の本体の斜視図。
【図６】従来のコーヒー濾過用組立体の応用を示す概要図。
【符号の説明】
【００１８】
１    本体
２    濾過パッド
１１    環状面
１２    スカート
１３    ショルダー
１４    支持リブ
１５    隙間
１１１    空気抜き穴
１２１    フック
【図１】
0003117824.tif 000003
【図２】
0003117824.tif 000004
【図３】
0003117824.tif 000005
【図４】
0003117824.tif 000006
【図５】
0003117824.tif 000007
【図６】
0003117824.tif 000008